(57)【特許請求の範囲】
【請求項１】
２本１組で並列する柱材と、各柱材から隣接する柱材に対し連結部材を介して斜材をシザース状に動作する梁材と、対角線上で対向する柱材方向に配置され前記連結部材と回動可能に接続しテント中央に向かって集結する屋根リンク部材を備える寄棟状折畳式テントにおいて、前記柱材は、少なくとも３列以上立設するものであり、前記屋根リンク部材は、枢動可能に接続する棟材と方杖を有し、中間列の柱材に装着する連結部材は、柱材の頂部に冠着して３本の斜材と２本の棟材を支持する端部ジョイントと、その下方に環装して３本の斜材と２本の方杖を支持する上下方向に移動可能なスライドジョイントからなり、これら端部ジョイント及びスライドジョイントの夫々の枠部より、斜材の端部を挿入して回動可能に支持する外面梁支持板を直線上２方向に同一高さで突設し、この外面梁支持板より低い高さで斜材の端部を挿入して回動可能に支持する中間梁支持板を外面梁支持板と直交する方向に突設し、前記端部ジョイントは、棟材の端部を挿入して回動可能に支持する棟材支持板を各梁支持板の中間方向に前記外面梁支持板と同一高さで突設し、前記スライドジョイントは、方杖の端部を挿入して回動可能に支持する方杖支持板を各梁支持板の中間方向に前記外面梁支持板と同一高さで突設し、前記斜材、棟材及び方杖を回動可能に係止するピンのピン孔は、挿入時に隣接する支持板先端とピンが重合しない位置に開設すると共に、前記棟材支持板及び方杖支持板の挿入するピンの先端側にある夫々の板材は、隣接する中間梁支持板又は外面梁支持板と兼用することを特徴とする寄棟状折畳式テント。
【発明の詳細な説明】
【技術分野】
【０００１】
この発明は、柱材に対して連結部材を介しシザース状に動作する梁材を備える折畳式テントに関し、特に内部空間を広く確保できる寄棟状の折畳式テントに関する。
【背景技術】
【０００２】
梁材をシザース状に折り畳むテントは、例えば図５に示すように４本の柱材１２と、この柱材１２同士を連結する４面の梁材１３を有する。地表に立設する柱材１２の頂部には端部ジョイント１４を冠着し、その下方に上下方向に移動可能なスライドジョイント１５を環装しているが、これら連結部材を構成する端部ジョイント１４及びスライドジョイント１５は梁材１３の斜材１６の一端部を回動可能に支持している。
【０００３】
又梁材１３の中央には左右の斜材１６をピン結合で連結するヒンジジョイント部１７が設けられ、このヒンジジョイント部１７からテント中央に向って屋根リンク部材１８が取付けられ、それらが集合する中心部には図示しない天幕の中央部分を支承する中央支柱１９を配設する。天幕はこの骨組構造体に対して上部より取り付けられる。
【０００４】
このような梁材１３及び屋根リンク部材１８は連結する部分が全てピン結合となっており、同期してシザース状に動作しながら折り畳み可能な構成をとっているため、使用時には柱材１２を相互に離隔すれば骨組全体が拡開する。又、収納時には柱材１２を近接させれば骨組全体の収縮が可能となる。
【０００５】
しかし、梁材１３の中央に連結する屋根リンク部材１８は、梁材１３と同一高さに配置されるため、テントの内部空間の利用が制限される欠点があった。そこで、テントの内部空間を広く確保し得る折畳式テントとしては例えば下記に示すような従来技術があった。
【特許文献１】登録実用新案第３０５８５２６号公報
【０００６】
この折畳式テントは、図６に示すように四隅に立設する柱材２２同士を連結し、シザース状に動作する４面の梁材２３と、対角線上で対向する柱材２２方向に配置され、テント中央に向かって集結する屋根リンク部材２４を備え、各梁材２３及び屋根リンク部材２４は柱材２２に装着する連結部材２５と夫々回動可能に接続していた。
【０００７】
柱材２２より屋根リンク部材２４を跳ね出す寄棟状折畳式テント２１の場合、集結する棟材２４ａの下面には、隅部に方杖２４ｂが補強されているだけで、水平部材が存在しないためテントの内部空間を広く利用できる利点があった。
【発明の開示】
【発明が解決しようとする課題】
【０００８】
しかし、寄棟状折畳式テント２１の場合、柱材２２に装着する連結部材２５、即ち柱材２２の頂部に冠着する端部ジョイントと、その下方で環装する上下方向に移動可能なスライドジョイントには、夫々２箇所の梁材取付用板体と１箇所の棟材若しくは方杖取付用の板体を突設しなければならず、これら３箇所の板体は隅部９０°の範囲に収めねばならない。
【０００９】
これら板体は、具体的には夫々一対のプレートを対向し、その間隙に梁材２３、棟材２４ａ又は方杖２４ｂの各端部を挿入して、プレートを挿通するピン等で回動可能に支持する構成であった。
【００１０】
図６のように寄棟状の折畳式テント２１が単独のもの、即ち４本の柱材で形成されるものであれば、これら連結部材も隅部９０°の狭い範囲内であっても、６枚に相当する板材をなんとか配置することは可能であったが、２連以上、即ち２本１組となる柱材を３列以上配置する多連の折畳式テントとなると、中間列の連結部材が複雑となるため、実際上多連の寄棟状折畳テントは実現されていなかった。
【００１１】
これは、隅部と異なり中間列では１８０°の範囲に３本の梁材と２本の屋根リンク部材を支持し得る合計１０枚に相当する板体を配置しなければならないからで、コンパクトにしかもピン等を挿通できるような形状を実現することはなかなか困難であったからである。
【００１２】
この発明は、従来の寄棟状折畳式テントが有する上記の問題点を解消すべくなされたものであり、多連であっても中間列の連結部において３本の梁材と２本の屋根リンク部材を支持し得る寄棟状折畳式テントを提供することを目的としている。
【課題を解決するための手段】
【００１３】
上記課題を解決するため、この発明の寄棟状折畳式テントは、２本１組で並列する柱材と、各柱材から隣接する柱材に対し連結部材を介して斜材をシザース状に動作する梁材と、対角線上で対向する柱材方向に配置され前記連結部材と回動可能に接続しテント中央に向かって集結する屋根リンク部材を備える寄棟状折畳式テントにおいて、前記柱材は、少なくとも３列以上立設するものであり、前記屋根リンク部材は、枢動可能に接続する棟材と方杖を有し、中間列の柱材に装着する連結部材は、柱材の頂部に冠着して３本の斜材と２本の棟材を支持する端部ジョイントと、その下方に環装して３本の斜材と２本の方杖を支持する上下方向に移動可能なスライドジョイントからなり、これら端部ジョイント及びスライドジョイントの夫々の枠部より、斜材の端部を挿入して回動可能に支持する外面梁支持板を直線上２方向に同一高さで突設し、この外面梁支持板より低い高さで斜材の端部を挿入して回動可能に支持する中間梁支持板を外面梁支持板と直交する方向に突設し、前記端部ジョイントは、棟材の端部を挿入して回動可能に支持する棟材支持板を各梁支持板の中間方向に前記外面梁支持板と同一高さで突設し、前記スライドジョイントは、方杖の端部を挿入して回動可能に支持する方杖支持板を各梁支持板の中間方向に前記外面梁支持板と同一高さで突設し、前記斜材、棟材及び方杖を回動可能に係止するピンのピン孔は、挿入時に隣接する支持板先端とピンが重合しない位置に開設すると共に、前記棟材支持板及び方杖支持板の挿入するピンの先端側にある夫々の板材は、隣接する中間梁支持板又は外面梁支持板と兼用することを特徴とするものである。
【００１４】
連結部材は、柱材の頂部に冠着する端部ジョイントと、その下方で環装し上下方向に移動可能なスライドジョイントからなり、梁材及び屋根リンク部材を回動可能に支持し、このスライドジョイントを上下動させることで、梁材及び屋根リンク部材の取付角度を変化させる。屋根リンク部材は、端部ジョイントに連結する棟材と、スライドジョイントに連結する方杖からなる。
【００１５】
中間列の柱材は、複数の中央寄棟に挟まれる中間梁材を支持する柱で、隅部の柱材と異なり、３本の梁材と２本の屋根リンク部材を支持する連結部材を装着する。
【発明の効果】
【００１６】
この発明の寄棟状折畳式テントは、中間列の柱材に装着する連結部材の中間梁支持板を外面梁及び屋根リンク部材の各支持板より低い高さで突設するため、３本の梁材と２本の屋根リンク部材を同時に支持することができ、多連の寄棟状の折畳式テントを実現可能とする。
【発明を実施するための最良の形態】
【００１７】
次にこの発明の実施の形態を添付図面に基づき詳細に説明する。図１は寄棟状折畳式テントの骨組を示す斜視図である。寄棟状折畳式テント１は、２本１組で並列する柱材２，２が少なくとも３列以上立設するものであり、各柱材２から隣接する柱材２に対して梁材３が横架し、対角線上で対向する柱材２方向には屋根リンク部材４が配設されている。
【００１８】
これら梁材３及び屋根リンク部材４は、柱材２に装着する連結部材５に一端部を回動可能に支持している。連結部材５は、柱頂部に冠着する端部ジョイント６と、その下方に上下方向に移動可能な状態で環装するスライドジョイント７を有する。
【００１９】
梁材３は、端部ジョイント６とスライドジョイント７で夫々枢支する斜材３ａ，３ａをピン３ｂにて結合し、スライドジョイント７を上下動することでシザース状に折り畳み、又引き伸ばすものである。
【００２０】
屋根リンク部材４は、端部ジョイント６に枢支し、テント中央に向かって集結する棟材４ａと、スライドジョイント７に枢支する方杖４ｂからなる。この方杖４ｂと棟材４ａは連結具４ｃを介して枢動可能に接続する。
【００２１】
テント中央には中央支柱４ｄを配設し、図示しない天幕の中央部分を支承するする。天幕はこの屋根リンク部材４に対して上部より取り付けられる。４本の棟材４ａは中央支柱４ｄと枢動可能に止着する。又、棟材４ａは中央部にて分割され、連結具４ｅにて折畳可能に接続している。
【００２２】
このためスライドジョイント７を降下させると、方杖４ｂに引張られて棟材４ａも下向きに回動するが、この連結具４ｅより中央部は曲折することで上方に折り畳まれる。
【００２３】
このように梁材３及び屋根リンク部材４は連結する部分が全てピン結合となっており、同期してシザース状に動作しながら折り畳み可能な構成をとっているため、使用時には柱材２を相互に離隔すれば骨組全体が拡開し、又収納時には柱材２を近接させれば骨組全体の収縮が可能となる。
【００２４】
次に中間列の柱材に装着する連結部材の詳細を図２乃至図４に基づき説明する。図２は中間列柱材の頭部骨組を示す斜視図、図３は端部ジョイントの斜視図、図４はスライドジョイントの斜視図である。中間列の柱材２は、複数の中央寄棟に挟まれる中間梁材３を支持する柱で、隅部の柱材２と異なり、３本の梁材３，３，３と２本の屋根リンク部材４，４を支持する連結部材５を装着する。
【００２５】
連結部材５は、図３及び図４に示すように端部ジョイント６とスライドジョイント７に分かれており、夫々柱材２を収納若しくは挿通する枠部６ａ，７ａより直線上２方向に同一高さで外面梁支持板６ｂ，７ｂを突設する。この外面梁支持板６ｂ，７ｂは夫々一対のプレートを対向し、その間隙に梁材３を構成する斜材３ａの端部を挿入し、開設するピン孔８より図示しないピン等を挿通して回動可能に支持する。
【００２６】
この外面梁支持板６ｂ，７ｂと隣接し、かつ同一高さで屋根リンク部材４用の棟材支持板６ｃと方杖支持板７ｃを夫々突設する。棟材支持板６ｃ及び方杖支持板７ｃも夫々一対のプレートを対向し、その間隙に棟材４ａ又は方杖４ｂの端部を挿入し、ピン孔８を貫通するピン等で回動可能に支持する。
【００２７】
９０°間隔で配置される２箇所の棟材支持板６ｃ、同様に９０°間隔で配置される２箇所の方杖支持板７ｃの間には、一段低い高さで中間梁支持板６ｄ，７ｄを突設し、対向するプレート間に中間梁材３の斜材３ａ端部を挿入し、ピン孔８を貫通するピン等で回動可能に支持する。
【００２８】
端部ジョイント６における外面梁支持板６ｂと棟材支持板６ｃ及び中間梁支持板６ｄは夫々４５°の角度をもって配置され、各プレート間に挿入される斜材３ａ、棟材４ａをピン等で係止するため、各ピン孔８の位置は、隣接する支持板に対し少なくとも外部よりピンが挿入できる位置、即ち挿入するピンと隣接する支持板先端が重合しない位置に開設される。
【００２９】
外部よりピンを挿入する構造から中間梁支持板６ｄのピン孔８は、外面梁支持板６ｂ及び棟材支持板６ｃのピン孔８と同一高さでは開設し難く、一段低い高さに中間梁支持板６ｄを突設することで無理の無い形状で３本の梁材と２本の屋根リンク部材を同時に支持することができる。
【００３０】
外面梁支持板６ｂと棟材支持板６ｃ及び中間梁支持板６ｄにおいて、各挿入するピン等の先端を受ける側の支持板は隣接する支持板と兼用されるものでもよい。これら、ピン孔と隣接する支持板との位置関係、支持板兼用はスライドジョイント７においても同様な構成となる。なお、スライドジョイント７には位置決め用のピン９が引出可能に取り付けられている。
【産業上の利用可能性】
【００３１】
この発明の寄棟状折畳式テントは、２連のタイプに限らず３連以上の中央寄棟を有する折畳式テントにも用いることができる。
【図面の簡単な説明】
【００３２】
【図１】寄棟状折畳式テントの骨組を示す斜視図である。
【図２】中間列柱材の頭部骨組を示す斜視図である。
【図３】端部ジョイントの斜視図である。
【図４】スライドジョイントの斜視図である。
【図５】従来のシザース状に折り畳むテントの骨組を示す斜視図である。
【図６】従来の寄棟状折畳式テントの骨組を示す斜視図である。
【符号の説明】
【００３３】
１  寄棟状折畳式テント
２  柱材
３  梁材
４  屋根リンク部材
５  連結部材
６  端部ジョイント
７  スライドジョイント
【図１】
0004833637.tif 000002
【図２】
0004833637.tif 000003
【図３】
0004833637.tif 000004
【図４】
0004833637.tif 000005
【図５】
0004833637.tif 000006
【図６】
0004833637.tif 000007